(57)【特許請求の範囲】
【請求項１】
植栽する植物の脇に支柱を立設し、この植物の上部に近い茎部にリングを引っかけ、一端をこのリングに結び付けた紐の他端を、前記支柱の上部に設けたガイド部を経て垂下させるとともに、この垂下端に重錘を取り付けることにより、前記植物を牽引して、この植物を直立状態に支持することを特徴とする植物の牽引栽培方法。
【請求項２】
植物の成長に応じて、リングを上方の茎部に付け替えることを特徴とする請求項１記載の植物の牽引栽培方法。
【請求項３】
支柱の上部に設けるガイド部を、該支柱の頂部に取り付けた滑車とすることを特徴とする請求項１または２記載の植物の牽引栽培方法。
【請求項４】
支柱の上部に設けるガイド部を、該支柱の頂部に取り付けた、丸味を帯びたガイド溝を有する頭部とすることを特徴とする請求項１または２記載の植物の牽引栽培方法。
【請求項５】
並べて植えた複数本の植物からの紐を、並設された複数本の支柱の上部を連結する丸パイプとしたガイド部に掛け、これらの紐の他端を１本の棒状の重錘に取り付け、これにより前記複数本の植物を同時に牽引して直立状態に支持することを特徴とする請求項１または２記載の植物の牽引栽培方法。
【請求項６】
それぞれの紐の他端を、コイルばねを介して共通の棒状の重錘に取り付けることを特徴とする請求項５記載の植物の牽引栽培方法。
【請求項７】
植物に引っかけるリングを二連リング型のものとし、もうひとつのリングの方を支柱に引っかけることを特徴とする請求項１〜６のいずれかに記載の植物の牽引栽培方法。
【請求項８】
両リングを、物干しばさみ式に開閉する構造の二連リング型のクリップとすることを特徴とする請求項７記載の植物の牽引栽培方法。
【請求項９】
植栽する植物の脇に立設する支柱と、一端に植物の茎部に係合可能なリングが止着され、かつ他端に重錘が連結された紐と、前記支柱の上端部に装着され、かつ前記紐を逆Ｕ字状に掛け回すようにしたガイド部とを備えることを特徴とする植物の牽引栽培装置。
【発明の詳細な説明】
【０００１】
【発明の属する技術分野】
本発明は、ハウス栽培等の園芸において、植物の倒れを防止する植物の牽引栽培方法及び装置に関する。
【０００２】
【従来の技術】
従来、トマト、きゅうり、ハウスメロン、ハウスすいか、えんどう、その他のつる性植物など、長く延びる作物では、植物の脇に支柱を立て、植物が生育して延びてゆくのに従って、茎部を、支柱の所々に結び付ける手間を掛けて、直立状態に支保している。
【０００３】
【発明が解決しようとする課題】
上述の従来のやり方では、ひとつのハウス内で数千本にも及ぶ植物の栽培においては、非常な手間となる。
【０００４】
本発明は、植物を、その生長に従って茎部を支柱に度々結び付ける手間をなくし、栽培の省力化を果たすことを目的としている。
【０００５】
【課題を解決するための手段】
本発明によると、上記課題は、次のようにして解決される。
（１）植物の牽引栽培方法においては、植栽する植物の脇に支柱を立設し、この植物の上部に近い茎部にリングを引っかけ、一端をこのリングに結び付けた紐の他端を、前記支柱の上部に設けたガイド部を経て垂下させるとともに、この垂下端に重錘を取り付けることにより、前記植物を牽引して、この植物を直立状態に支持する。
【０００６】
（２）上記(１)項において、植物の成長に応じて、リングを上方の茎部に付け替える。
【０００７】
（３）上記(１)または(２)項において、支柱の上部に設けるガイド部を、該支柱の頂部に取り付けた滑車とする。
【０００８】
（４）上記(１)または(２)項において、支柱の上部に設けるガイド部を、該支柱の頂部に取り付けた、丸味を帯びたガイド溝を有する頭部とする。
【０００９】
（５）上記(１)または(２)項において、並べて植えた複数本の植物からの紐を、並設された複数本の支柱の上部を連結する丸パイプとしたガイド部に掛け、これらの紐の他端を１本の棒状の重錘に取り付け、これにより前記複数本の植物を同時に牽引して直立状態に支持する。
【００１０】
（６）上記(５)項において、それぞれの紐の他端を、コイルばねを介して共通の棒状の重錘に取り付ける。
【００１１】
（７）上記(５)または(６)項において、植物に引っかけるリングを二連リング型のものとし、もうひとつのリングの方を支柱に引っかける。
【００１２】
（８）上記(１)〜(７)項のいずれかにおいて、両リングを、物干しばさみ式に開閉する構造の二連リング型のクリップとする。
【００１３】
（９）植物の牽引栽培装置においては、植栽する植物の脇に立設する支柱と、一端に植物の茎部に係合可能なリングが止着され、かつ他端に重錘が連結された紐と、前記支柱の上端部に装着され、かつ前記紐を逆Ｕ字状に掛け回すようにしたガイド部とを備えるものとする。
【００１４】
【発明の実施の形態】
図１は、トマトのハウス栽培に本発明を適用した実施例を示す。
ハウス内の耕土(１)に植栽したトマト(２)が、２０〜３０cmになったとき、その脇に、鋼管を樹脂被覆した支柱(３)を立設する。
【００１５】
支柱(３)の頂部には、図２に示すように、外周面にガイド溝(4a)を設けた半円形の頭部(４)をガイド部として差し込んで取り付けるか、または、図３に示すように、滑車(5a)を、水平軸(5b)により取り付けた頭部(５)をガイド部として差し込んで取り付けておく。
【００１６】
トマト(２)の上部に近いが、ある程度の太さを有する茎部(2a)に、その太さに比較して若干大きめ目の直径の合成樹脂製のリング(６)を通し、リング(６)に結び付けた紐(７)を、支柱(３)の頭部(４)のガイド溝に逆Ｕ字状に掛け回す。
【００１７】
紐(７)の他端には、軽量の重錘(８)を結び付けておく。この重錘(８)は、植物(２)の成長に応じて、順次重いものに交換して行くのがよい。
重錘(８)の荷重は、紐(７)を介してリング(６)に加わり、トマト(２)の茎部(2a)を上方に牽引し、トマト(２)を常時真上に付勢して支保する。
【００１８】
この力は、成長する若芽よりも下方の茎部(2a)にリング(６)を介して加わるので、植物を傷めることはない。換言すれば、重錘(８)の重量は、その程度に軽量のものとする。
【００１９】
生育に伴い、リング(６)の位置は、必要に応じて上方に移し替える。これは、トマトの脇芽欠きの作業の際に、リング(６)の直上の葉がリング(６)を通過するように、リング(６)を上方にずらすことによって行うのがよい。そうすることによって、きわめて簡単に、手間を掛けずに行うことができる。
【００２０】
図４に示す変形例では、リング(６)に代えて、二連リング型のクリップ(９)を用い、一方のリング(9a)を植物に、他方のリング(9b)を支柱(３)に遊嵌させている。
【００２１】
二連リング型のクリップ(９)は、軸(10)を中心に、物干しばさみ式に両リング(9a)(9b)が同時に開閉する方式のもので、これによると、支柱(３)及び植物への装着が楽で、かつ茎部(2a)への取り付けが植物を傷めずに容易にできる。
【００２２】
結果する果実の支持等のため、所望により、適宜茎部(2a)を支柱(３)に直接緊結することもできるし、また、二連リング型のクリップ(９)に類似のクリップにより茎部(2a)を支柱(３)に固定することもできる。
【００２３】
図５に示す別の実施例は、畝(11)に複数本の植物(２)を並べて植栽する場合を示すもので、それぞれの植物(２)の脇に一本ずつ支柱(３)を立設し、その両端には、太めの主支柱(12)を立設する。
【００２４】
２本の主支柱(12)及びその間の支柱(３)の上部に、丸パイプ(13)を水平に掛け渡し、それぞれにしっかりと緊結する。
【００２５】
それぞれの支柱(３)及び植物(２)に遊嵌したクリップ(９)（図４参照）に、紐(７)の一端を結びつけて、紐(７)を、丸パイプ(13)に掛ける。すなわち、丸パイプ(３)が、紐(７)のガイド部となる。
【００２６】
紐(７)の他端は、コイルばね(14)の一端に取り付けられ、コイルばね(14)の他端は、１本の共通の棒状の重錘(15)に取り付けられる。重錘(15)は、細長いが軽量のものである。
【００２７】
この実施例のようにすると、重錘(15)の数を減らすことができるとともに、作業性を向上することができる。
【００２８】
【発明の効果】
本発明によれば、従来のように、植物の成長に伴って、何カ所もいちいちその茎部を支柱にしっかりと結び付けるという手間なく、植物は常に真上に向かって牽引されて支保され、作業の省力化を図ることができる（全請求項）。
【００２９】
請求項２記載の発明のようにすると、植物の成長に追随して、常に最適の状態で植物を真上に向かって牽引することができる。
【００３０】
請求項３記載の発明のようにすると、軽量な重錘の荷重を、紐の摩擦損失なくリングに伝達することができる。
【００３１】
請求項４記載の発明のようにすると、実用上紐の摩擦損失が気にならない程度の頭部を安価に製造することができる。
【００３２】
請求項５記載の発明のようにすると、複数本の植物の支保のための支柱構造を頑丈にできると同時に、牽引が一度になされるので手間がかからない。
【００３３】
請求項６記載の発明のようにすると、複数本の植物の成長に差がでても、コイルばねの介在により、成長の遅い植物にも無理な力が加わることがない。
【００３４】
請求項７記載の発明のようにすると、植物の支保を確実にすることができ、特に植物の倒れを確実に防止することができる。
【００３５】
請求項８記載の発明のようにすると、支柱への遊嵌が側方から楽にできるとともに、植物の茎部への取り付け及び移動が、植物を傷めずに容易に行うことができる。
【００３６】
請求項９記載の発明によると、上記のような植物の牽引栽培方法を実施する安価な装置を提供することができる。
【図面の簡単な説明】
【図１】本発明の装置を用いて本発明の方法を実施している状態を示す概略的な立面図である。
【図２】支柱の上端とここに装着する頭部の拡大斜視図である。
【図３】滑車型の頭部の拡大斜視図である。
【図４】物干しばさみ式の二連リングとこれを取り付けた支柱の一部の拡大斜視図である。
【図５】本発明の栽培方法の他の実施状況を示す斜視図である。
【符号の説明】
(１)耕土
(２)トマト（植物）
(2a)茎部
(３)支柱
(４)頭部
(4a)ガイド溝
(５)頭部
(5a)滑車
(5b)水平軸
(６)リング
(７)紐
(８)重錘
(９)クリップ
(9a)(9b)リング
(10)軸
(11)畝
(12)主支柱
(13)丸パイプ
(14)コイルばね
(15)丸パイプ
【図１】
0003738408.tif 000002
【図２】
0003738408.tif 000003
【図３】
0003738408.tif 000004
【図４】
0003738408.tif 000005
【図５】
0003738408.tif 000006